(57)【要約】      （修正有）【課題】フリップカバーによってそのアンテナのマッチング状態を調整し、これでデジタルテレビ信号を受信する効率と品質を向上するアンテナ装置を提供する。【解決手段】ケースとアンテナを含むアンテナ装置である。ケースが上蓋及び下蓋を含む。アンテナがケース内に設けられ、且つ金属導体、回路基板、整合回路及び導線を含む。金属導体が上蓋内に設けられる。回路基板が下蓋内に設けられ、且つ接地層を有する。整合回路が回路基板に形成され、且つ第１の金属部品、第２の金属部品及びキャパシタンスを含む。第２の金属部品が信号給電点を有し、且つ第２の金属部品と第１の金属部品との間に間隙を形成する。キャパシタンスが間隙に設けられ、且つ第１の金属部品及び第２の金属部品を電気的に接続する。導線が第１の金属部品及び上蓋内の金属導体に電気的に接続される。【選択図】図１Ａ
0003165427.tif 000002
【実用新案登録請求の範囲】
【請求項１】
ケースとアンテナを含み、
前記ケースが上蓋及び下蓋を含み、
前記アンテナがケース内に設けられ、且つ金属導体、回路基板、整合回路及び導線を含み、
前記金属導体が前記上蓋内に設けられ、
前記回路基板が下蓋内に設けられ、且つ接地層を有し、
前記整合回路が前記回路基板に形成され、且つ第１の金属部品、第２の金属部品及びキャパシタンスを含み、
前記第２の金属部品が信号給電点を有し、且つ前記第２の金属部品と前記第１の金属部品との間に間隙を形成し、
前記キャパシタンスが間隙に設けられ、且つ前記第１の金属部品及び前記第２の金属部品を電気的に接続し、
前記導線が前記金属導体と前記第１の金属部品に電気的に接続される
アンテナ装置。
【請求項２】
前記信号給電点が４７０ＭＨｚ〜８７０ＭＨｚのデジタルテレビ周波数域を受信することに用いる請求項１に記載のアンテナ装置。
【請求項３】
前記ケースが前記上蓋と前記下蓋を枢接するピボットを更に含む請求項１に記載のアンテナ装置。
【請求項４】
前記アンテナが前記ピボット内に設けられる、且つ前記金属導体と前記接地層に電気的に接続される金属スピンドルを更に含む請求項３に記載のアンテナ装置。
【請求項５】
前記金属導体が溝線を更に有する請求項４に記載のアンテナ装置。
【請求項６】
前記キャパシタンスがチップキャパシタンスで、且つ前記キャパシタンスのキャパシタンス値が５０ｐＦ以上である請求項５に記載のアンテナ装置。
【請求項７】
前記アンテナが前記ピボット内に設けられる、且つ前記金属導体に電気的に接続される金属スピンドルを更に含む請求項３に記載のアンテナ装置。
【請求項８】
前記金属導体が溝線を更に含む請求項７に記載のアンテナ装置。
【請求項９】
前記キャパシタンスがチップキャパシタンスで、且つ前記キャパシタンスのキャパシタンス値が５０ｐＦ以上である請求項８に記載のアンテナ装置。
【請求項１０】
前記キャパシタンスがチップキャパシタンスで、且つそのキャパシタンス値が１ｐＦ〜２ｐＦの間にある請求項１に記載のアンテナ装置。
【請求項１１】
前記第１の金属部品が環状外観を有し、前記第２の金属部品が矩形外観を有する請求項１に記載のアンテナ装置。
【請求項１２】
前記導線が第１の端と第２の端を含み、それぞれ前記金属導体と前記第１の金属部品に電気的に接続され、且つ前記第１の端と前記第２の端がいずれも環状外観を有する請求項１に記載のアンテナ装置。
【請求項１３】
ケースとアンテナを含み、
前記ケースが上蓋及び下蓋を含み、
前記アンテナがケース内に設けられ、且つ金属導体、回路基板、整合回路及び導線を含み、
前記金属導体が前記上蓋内に設けられ、
前記回路基板が前記下蓋内に設けられ、且つ接地層を有し、
前記整合回路が前記回路基板に形成され、且つ第１の金属部品、第２の金属部品、キャパシタンス、２つの平行金属板及び複数の金属弾性シートを含み、
前記第２の金属部品が信号給電点を有し、且つ前記第２の金属部品と前記第１の金属部品との間に間隙を形成し、
前記キャパシタンスが前記間隙に設けられ、且つ前記第１の金属部品及び前記第２の金属部品を電気的に接続し、
前記導線が前記金属導体と前記第１の金属部品に電気的に接続され、
前記２つの平行金属板がそれぞれ前記回路基板の両面に平行に設けられ、
前記複数の金属弾性シートが前記回路基板と前記平行金属板との間に設けられ、且つ前記金属弾性シートが前記回路基板と前記平行金属板に電気的に接続される
アンテナ装置。
【考案の詳細な説明】
【技術分野】
【０００１】
本考案はアンテナ装置に関し、特にデジタルテレビアンテナ装置に関する。
【背景技術】
【０００２】
科学の進歩につれて、通信技術の修羅場がだんだん有線の通信技術から無線の通信技術まで移った。信号の伝送メディアにおいて、従来の有形の金属線路（例えば、同軸ケーブル）から空気を伝送メディアとする無線通信に変え、電磁波信号が無線通信設備のドアに出入するのはアンテナである。
【０００３】
今市販のデジタルテレビ製品の内蔵アンテナがいずれも金属引き抜き棒の形式で実現され、接続器によってアンテナを回路基板に接続する。しかしながら、このようなアンテナ構造が常に以下の欠点を生じる。まず、一般的なデジタルテレビの作業周波数域が４７０ＭＨｚ〜８７０ＭＨｚにあり、しかし金属引き抜き棒形式のアンテナがそのインピーダンス帯域幅がデジタルテレビ周波数域を十分にカバーすることができず、完璧にデジタルテレビ信号を受信することができない。そして、作業に金属引き抜き棒形式のアンテナを用いる過程に、まずアンテナを回転して引き出す動作して、便利性を持たない上に、且つ長く使用した後、接続器が頻繁に引き出して摩擦力を失い、アンテナが特定の位置に固定しにくくなる。
【０００４】
以上により、もっと便利な、且つデジタルテレビ周波数域を完全にカバーすることができるデジタルテレビ受信アンテナ装置を期待していて、無線行動の便利性を向上する。
【考案の概要】
【考案が解決しようとする課題】
【０００５】
このため、本考案の目的はアンテナ装置を提供し、且つフリップカバーによってそのアンテナのマッチング状態を調整し、これでデジタルテレビ信号を受信する効率と品質を向上することにある。
【課題を解決するための手段】
【０００６】
本考案の一方がアンテナ装置を提出し、それがケースとアンテナを含む。ケースが上蓋及び下蓋を含む。アンテナがケース内に設けられ、且つ金属導体、回路基板、整合回路及び導線を含む。金属導体が上蓋内に設けられる。回路基板が下蓋内に設けられ、且つ接地層を有する。整合回路が回路基板に形成され、且つ第１の金属部品、第２の金属部品及びキャパシタンスを含む。第２の金属部品が信号給電点を有し、且つ第２の金属部品と第１の金属部品との間に間隙を形成する。キャパシタンスが間隙に設けられ、且つ第１の金属部品及び第２の金属部品を電気的に接続する。導線が第１の金属部品及び上蓋内の金属導体に電気的に接続される。
【０００７】
本考案の一実施例により、信号給電点が４７０ＭＨｚ〜８７０ＭＨｚのデジタルテレビ周波数域を受信することに用いる。
【０００８】
本考案の一実施例により、ケースが上蓋と下蓋を枢接するピボットを更に含む。
【０００９】
本考案の一実施例により、アンテナがピボット内に設けられる、且つ金属導体と接地層に電気的に接続される金属スピンドルを更に含む。
【００１０】
本考案の一実施例により、金属導体が矩形外観を有する。
【００１１】
本考案の一実施例により、キャパシタンスがチップキャパシタンスで、且つそのキャパシタンス値が１ｐＦ〜２ｐＦの間にある。
【００１２】
本考案の一実施例により、第１の金属部品と第２の金属部品がいずれも回路基板上のプリント配線である。
【００１３】
本考案の一実施例により、第１の金属部品が環状外観を有し、第２の金属部品が矩形外観を有する。
【００１４】
本考案の一実施例により、導線が第１の端と第２の端を含み、金属導体と第１の金属部品にそれぞれ電気的に接続され、且つ第１の端と第２の端がいずれも環状外観を有する。
【００１５】
本考案の一実施例により、回路基板に形成される少なくとも通信モジュールを更に含む。
【００１６】
本考案の一実施例により、金属導体に設けられ、且つチップキャパシタンスのキャパシタンス値が５０ｐＦ以上である溝線を更に含む。
【００１７】
本考案はまたアンテナ装置を提出し、それがケースとアンテナを含む。ケースが上蓋及び下蓋を含む。アンテナがケース内に設けられ、且つ金属導体、回路基板、整合回路及び導線を含む。金属導体が上蓋内に設けられる。回路基板が下蓋内に設けられ、且つ接地層を有する。整合回路が回路基板に形成され、且つ第１の金属部品、第２の金属部品及びキャパシタンスを含む。第２の金属部品が信号給電点を有し、且つ第２の金属部品と第１の金属部品との間に間隙を形成する。キャパシタンスが間隙に設けられ、且つ第１の金属部品及び第２の金属部品を電気的に接続する。導線が第１の金属部品及び上蓋内の金属導体に電気的に接続される。また、アンテナ装置が更に２つの平行金属板を有し、それぞれが回路基板の両面に平行に設けられる。複数の金属弾性シートが該回路基板と該平行金属板との間に設けられる。この金属弾性シートが回路基板と平行金属板に電気的に接続されることに用いる。
【図面の簡単な説明】
【００１８】
本考案の上述及びその他の目的、特徴、美点及び実施例を更に明確するように、図面の説明が以下である。
【図１Ａ】本考案の一実施例によるアンテナ装置の平面図である。
【図１Ｂ】図１Ａにおけるアンテナ装置の側面図である。
【図１Ｃ】図１Ａにおける整合回路を示す。
【図１Ｄ】図１Ａにおける導線を示す。
【図２】図１Ａのアンテナ装置によって、その交角θが９０度である時のＳ１１データ測定値を示す。
【図３】図１Ａのアンテナ装置によって、その交角θが１５０度である時のＳ１１データ測定値を示す。
【図４】本考案のまた一実施例によるアンテナ装置の平面図である。
【図５】図４のアンテナ装置によって、その交角θが１５０度である時のＳ１１データ測定値を示す。
【図６Ａ】本考案のまた一実施例によるアンテナ装置が回路基板部分を有する正面図である。
【図６Ｂ】本考案のまた一実施例によるアンテナ装置が回路基板部分を有する側面図である。
【考案を実施するための形態】
【００１９】
本考案の叙述を更に詳しく且つ完全になるように、図面及び以下に記述した各種実施例を参照してもよく、図面における同じの番号が同じ又は類似の素子を代表する。一方、周知の素子及びステップは実施例に記述しなく、本考案の不必要な制限を避ける。
【００２０】
図１Ａを参照し、それが本考案の一実施例によるアンテナ装置の平面図を示す。図１Ａに示すように、アンテナ装置１００がケース２００及びアンテナ３００を含む。ケース２００が上蓋２１０と下蓋２２０を含む。アンテナ３００がケース２００内に設けられ、且つ金属導体３１０、回路基板３２０、整合回路３３０及び導線３４０を含む。しかしながら、アンテナ３００がアンテナ装置１００の内部素子であるため、図１Ａに、いずれも点線で示す。
【００２１】
図１Ａを参照し続ける。金属導体３１０が上蓋２１０内に設けられる。回路基板３２０が下蓋２２０内に設けられ、且つ接地層３２２を有する。整合回路３３０が回路基板３２０に形成され、且つ第１の金属部品３３１、第２の金属部品３３２及びキャパシタンス３３３を含む。第２の金属部品３３２が信号給電点３３４を有し、且つ第２の金属部品３３２と第１の金属部品３３１との間に間隙３３５を形成する。キャパシタンス３３３が間隙３３５に設けられ、且つ第１の金属部品３３１と第２の金属部品３３２に電気的に接続される。導線３４０が第１の金属部品３３１と金属導体３１０に電気的に接続される。
【００２２】
更にいうと、アンテナ３００が金属導体３１０を通して外部デジタルテレビ信号を受信し、そのデジタルテレビ信号周波数域が４７０ＭＨｚ〜８７０ＭＨｚの間にある。そして、導線３４０を通して信号を整合回路３３０に伝送し、これでアンテナ３００の作業帯域幅を有効に向上し、デジタルテレビ信号をだんだん完璧に近づける。
【００２３】
一実施例において、金属導体３１０が矩形外観を有し、図１Ａに示すように、その寸法が約９ｃｍ×５．４ｃｍである。しかしながら、本考案における金属導体３１０の外観がこれに限られなく、多角形でよく、もっと十分な柔軟性を持つ設計ができる。
【００２４】
図１Ａと図１Ｂを同時に参照し、図１Ｂが図１Ａにおけるアンテナ装置１００の側面図である。図面に示すように、ケース２００がピボット２３０を更に含み、上蓋２１０と下蓋２２０を枢接し、上蓋２１０と下蓋２２０が交角θを形成し、且つ交角θの範囲が０度〜１８０度である。このため、ピボット２３０の機構接続方式によって、アンテナ装置１００のフリップの自由度を提供し、即ち、交角θの角度値を調整することによって、アンテナ３００のマッチング状態を調整し、これで好ましいアンテナ放射パターンと放射効率を有する。更に、ピボット２３０が上蓋２１０と下蓋２２０が一定の角度に係止するように設計してもよく、例えば、交角θが９０度又は１５０度等である。
【００２５】
また、アンテナ３００が金属スピンドル３５０を更に含み、ピボット２３０内に設けられ、且つ金属導体３１０と接地層３３２に電気的に接続される。金属スピンドル３５０が第１の接続部３５１と第２の接続部３５２を含み、それぞれ金属導体３１０と接地層３３２に接続される。また、本実施例における接地層３３２が回路基板３２０に設けられるが、この技術に詳しいものが、前記接地層３３２が回路基板３２０の内層又は底面に設けられてもよい。
【００２６】
続き、図１Ａと図１Ｃを同時に参照し、図１Ｃが図１Ａにおける整合回路３３０を示す。第１の金属部品３３１、第２の金属部品３３２と信号給電点３３４が金属材質で、その他の空間がメディアである。図面に示すように、一実施例において、第１の金属部品３３１と第２の金属部品３３２がいずれも回路基板３２０上のプリント配線である。しかしながら、第１の金属部品３３１と第２の金属部品３３２がエッチング技術方式によって回路基板に形成される。また一実施例において、第１の金属部品３３１が環状外観を有し、第２の金属部品３３２が矩形外観を有し、且つ第２の金属部品３３２がその外観形状と面積大きさを変更することによって、インピーダンスマッチングを満たす。
【００２７】
また、また一実施例において、間隙３３５に設けられるキャパシタンス３３３がチップキャパシタンスでよく、且つそのキャパシタンス値が１ｐＦ〜２ｐＦの間にあり、第１の金属部品３３１と第２の金属部品３３２に電気的に接続され、整合回路３３０が作業周波数域において、好ましいインピーダンスマッチングを有する。
【００２８】
図１Ａと図１Ｄを同時に参照し、図１Ｄが図１Ａにおける導線３４０を示す。一実施例において、導線３４０が第１の端３４１と第２の端３４２を含み、それぞれ金属導体３１０と第１の金属部品３３１に電気的に接続され、且つ第１の端３４１と第２の端３４２がいずれも環状外観を有する。しかしながら、図１Ａに示すように、導線３４０の第２の端３４２と第１の金属部品３３１が同じの孔径寸法を有し、そしてネジなどのような固定部品（図示せず）によって、回路基板３２０に固定・接続される。
【００２９】
また、さらに一実施例において、アンテナ装置１００が少なくとも通信モジュール４００を更に含み、回路基板に形成し、且つ信号給電点３３４に電気的に接続される。これでアンテナ装置１００を通して表示装置に接続し、デジタルテレビを観賞する。
【００３０】
図２と図３を参照し、図２が図１Ａのアンテナ装置１００によって、その交角θが９０度である時のＳ１１データ測定値を示す。図３が図１Ａのアンテナ装置１００によって、その交角θが１５０度である時のＳ１１データ測定値を示す。そのうち、Ｓ１１パラメーターが反射損失（Ｒｅｔｕｒｎ  Ｌｏｓｓ）を示す。図において測定データが示す反射損失によって、上蓋２１０と下蓋２２０との間の交角θが大きいほど、アンテナ３００の受信周波数域が対応的に低い周波数へ偏り、このため、使用所在地のテレビ信号周波数を見て、このフリップの自由度によって、受信信号過程において放射効率と効能を向上することがわかる。
【００３１】
続いて、図４を参照し、これが本考案のまた一実施例のアンテナの平面図である。この実施例において、簡単に説明するように、前記実施例と同じの部分はくどく述べない。本実施例が金属導体３１０に溝線５１０を更に設ける。溝線５１０がアンテナのまた一種の形式と見なされ、キャパシタンス値がこの実施例に５０ｐＦ以上にして、整合回路が作業周波数域において、好ましいインピーダンスマッチングを有する。図５を同時に参照し、この図が本実施例のアンテナの交角θが１５０度である時のＳ１１データ測定値を示す。図によって、同じの角度下で、本実施例は前記実施例の４７０ＭＨｚ〜８７０ＭＨｚ周波数域に比べて、もっとよいマッチング效果を有する。
【００３２】
本実施例において、金属スピンドル３５０が金属導体３１０と接地層に電気的に接続される。しかし、その他の実施例において、溝線５１０以外、金属スピンドル３５０がただ金属導体に電気的に接続され、接地層に電気的に接続されない。この時、キャパシタンス値がまだ５０ｐＦ以上と設定され、しかし、実際の設計によってキャパシタンス値を調整し、最高のマッチング状態を得る。
【００３３】
続いて、図６Ａと図６Ｂを同時に参照する。図６Ａと図６Ｂがそれぞれアンテナ装置が回路基板部分を有する正面と側面図である。アンテナ装置がもっとよい受信程度を持つように、本実施例が回路基板３２０の上下両側にそれぞれ平行に第１の平行金属板５２０と第２の平行金属板５３０を設ける。平行金属板５２０、５３０と回路基板３２０との間に金属弾性シート５４０を設け、平行金属板５２０、５３０と回路基板３２０を接続する。平行金属板５２０、５３０の設置によって、外界のノイズを隔絶でき、放熱面積を増加し、アンテナ装置がもっとよい受信能力を持つ。
【００３４】
本考案が実施形態で以上のように開示されたが、しかし本考案を限定するものではなく、当該技術に熟知する者によって、本考案の精神と範囲から逸脱しない限り、各種の変更と修正することができ、このため、本考案の保護範囲が後の実用新案登録請求の範囲に限定される。
【符号の説明】
【００３５】
１００：アンテナ装置  ２００：ケース  ２１０：上蓋  ２２０：下蓋  ２３０：ピボット  ３００：アンテナ  ３１０：金属導体  ３２０：回路基板  ３２２：接地層  ３３０：整合回路  ３３１：第１の金属部品  ３３２：第２の金属部品  ３３３：キャパシタンス  ３３４：信号給電点  ３３５：間隙  ３４０：導線  ３４１：第１の端  ３４２：第２の端  ３５０：金属スピンドル  ３５１：第１の接続部  ３５２：第２の接続部  ４００：通信モジュール  ５１０：溝線  ５２０：第１の平行金属板  ５３０：第２の平行金属板  ５４０：金属弾性シート
【図１Ａ】
0003165427.tif 000003
【図１Ｂ】
0003165427.tif 000004
【図１Ｃ】
0003165427.tif 000005
【図１Ｄ】
0003165427.tif 000006
【図２】
0003165427.tif 000007
【図３】
0003165427.tif 000008
【図４】
0003165427.tif 000009
【図５】
0003165427.tif 000010
【図６Ａ】
0003165427.tif 000011
【図６Ｂ】
0003165427.tif 000012